(57)【特許請求の範囲】
【請求項１】
ネジ通孔が設けられドアの一方面に配置される当て台座と、
この当て台座の前記ネジ通孔に合致させる雌ネジ孔が設けられドアの他方面に配置される受け台座と、
前記当て台座の前記ネジ通孔からドアを貫通して前記受け台座の前記雌ネジ孔に螺合される取付ネジと、を有し、
前記受け台座は前記雌ネジ孔を貫通状態で備えたナット部と、
前記ナット部を前記雌ネジ孔の孔軸が当該受け台座の肉厚方向に倣う配置とし且つ前記雌ネジ孔の外周部を非拘束としつつ支持する盤本体と、を有しており、
前記ナット部には前記雌ネジ孔内の少なくとも周方向一箇所から径方向に延びて且つ孔軸方向に通り抜ける拡縮溝が形成され、
前記盤本体にはドアとは逆向きとされる面で前記ナット部から突き抜けたネジ先端部を超えて隆起するネジ端収容体が形成されている
ことを特徴とするドア器具取付装置。
【請求項２】
前記盤本体には、ドアとは逆向きとされる面で前記ナット部の雌ネジ孔及び拡縮溝と合致する開口部が形成されており、前記開口部としての深さを形づくることになる盤本体の肉厚により前記ネジ端収容体が形成されていることを特徴とする請求項１記載のドア器具取付装置。
【請求項３】
前記ナット部において、前記拡縮溝は前記雌ネジ孔の径方向両側に対を成す配置で設けられており、これら対を成す前記拡縮溝の相反する溝端に対応したナット両側部が前記盤本体の前記開口部内周面と連結されていることを特徴とする請求項２に記載のドア器具取付装置。
【請求項４】
前記盤本体と前記ナット部とが別体形成されていることを特徴とする請求項１記載のドア器具取付装置。
【請求項５】
前記盤本体と前記ナット部とが別体形成されていることを特徴とする請求項２記載のドア器具取付装置。
【請求項６】
前記盤本体には、前記開口部の奥底に前記ナット部を前記雌ネジ孔まわりで不回転にして収容するナット収容部が設けられていることを特徴とする請求項５記載のドア器具取付装置。
【請求項７】
前記当て台座又は前記受け台座の少なくとも一方に、ドアへ向けられる面から突出してドアへの押圧力に抗して弾発力を発現する弾発片が一体形成されていることを特徴とする請求項１乃至請求項６のいずれか１項に記載のドア器具取付装置。
【発明の詳細な説明】
【技術分野】
【０００１】
本発明は、ラッチ錠などのドア器具をドアに取り付ける際に好適に使用可能なドア器具取付装置に関する。
【背景技術】
【０００２】
ラッチ錠をドアに取り付けるには、ドアにラッチ錠を埋め込んだうえで、まずドアの両面に一対のハンドル取付台座を配置し、一方のハンドル取付台座に設けられたネジ通孔から取付ネジを差し込んで、この取付ネジを他方のハンドル取付台座に設けられた雌ネジ孔へ螺合し、締め付ける。そして次に、ハンドル軸付きドアハンドルのハンドル軸を、ドアの一方側からドア両側のハンドル取付台座とドア中のラッチ錠とに対して串刺し状に貫通させ、ドアの他方側へ突き出たハンドル軸に、軸受けボス付きドアハンドルを連結させる手順とする。
【０００３】
ところで、ハンドル取付台座をドアへ固定する際に取付ネジの締め付け度合いを強くし過ぎると、ドア両側でハンドル取付台座の取付面（ドア向きの面）間が非平行になる取付不備を原因として、ハンドル軸に曲がり成分の歪みが負荷し、ハンドル操作が重く操作し難くなる問題があった。また、ハンドル取付台座の雌ネジ孔を破損させたり、ハンドル取付台座がドアにめり込んでドアに凹み傷を付けたりする問題もあった。
【０００４】
そこで、雌ネジ孔に取付ネジの締め過ぎを防止する機構を採用することが提案されている（例えば、特許文献１参照）。この締め過ぎ防止機構は、雌ネジ孔を筒状のボス中に形成すると共に、このボスに対し、雌ネジ孔を径方向に分断しつつ軸方向（深さ方向）に延ばしたスリ割り状のスリットを設けたものである。
すなわち、取付ネジを締め過ぎた場合、雌ネジ孔のネジ山と取付ネジのネジ山との噛み合い部に軸方向の過剰な引張力が負荷することにより、互いのネジ山がカム作用を生じてネジ山飛びを起こす（ネジ山同士が軸方向に乗り越えて噛み合いが１ピッチ戻る）、というものである。なお、ネジ山飛びが生じた時点では雌ネジ孔に対する取付ネジの螺合距離に必要以上の戻り（緩み）が生じてしまうので、そのままの状態では、取付座にガタツキが発生することから、作業工程には取付ネジを約半回転ほど増し締めするように、条件が付加されている。
【先行技術文献】
【特許文献】
【０００５】
【特許文献１】特許第４４６３８２９号公報
【発明の概要】
【発明が解決しようとする課題】
【０００６】
前記した従来の締め過ぎ防止機構において、ネジ山飛びの作用が生じる際のメカニズムは、雌ネジ孔を備えるボスが、スリットを境としてその両サイドの筒壁を相反する外側へ開かせる（雌ネジ孔を拡径させる）ことによる。すなわち、両サイドのボス筒壁にはスリットを引き裂く方向へ曲がる変形作用が生じる。このようなボス筒壁の変形作用を確実に得るためには、ボスの突出量を大きく取ってスリットを十分に長く（深く）する必要がある。しかしながら、スリットを長くするためのスリ割り加工は難しく、製造能率を低下させるばかりか高コスト化に繋がるという問題があった。
【０００７】
また、スリットを長くすることに関連して、雌ネジ孔に対する取付ネジの螺合距離を所定範囲に収める必要が生じ（長すぎても短すぎても不適合となる）、従って適用可能な取付ネジの長さが厳しく規定されるものとなっていた。それ故、ドア厚が異なる場合には、取付ネジとして、長さ的に適合するものをその都度、厳選する必要が生じ、現場での混乱などが発生することに繋がっていた。言うまでもなく、規定に合わない不適合長さの取付ネジを用いた場合には、所期の締め過ぎ防止効果を得ることができない。
【０００８】
のみならず、取付ネジの螺合と螺脱を何度も繰り返した場合、雌ネジ孔の拡径状態（スリットが拡幅した状態）でボス筒壁に塑性変形が起こり、再使用に耐えられなくなる場合もあった。要するに、使用回数には制限が存在していることを意味する。
なお、これらの問題に対処するために仮にスリットを短くした場合を想定すると、雌ネジ孔を拡径させる作用でスリット奥端のボス筒壁にクラックを発生させることが考えられる。このことから、スリットの短縮化は不可能と言える。
【０００９】
一方、ネジ山飛びの作用が生じた時点で取付ネジの増し締めを忘れるようなことがあると、ドアに対してハンドル取付台座やラッチ錠にガタツキが発生することになり、耳障りなガタツキ騒音が発生する問題があった。更に、このガタツキを放置すれば、ハンドル取付台座の雌ネジ孔を崩壊させ、ひいてはラッチ錠がハンドル軸により大きな揺さぶり現象を受けてラッチ錠に負荷が加わり、係合状態にある各部が破損してしまう問題も発生することから、ラッチ錠をも含めた一式の交換が必要になるといった問題に派生することもあった。
【００１０】
要するに、従来の締め過ぎ防止機構を備えたハンドル取付台座により、ラッチ錠をドアに取り付けるには、取付ネジの選択作業から締め付け作業にわたって作業者に規定内容を熟知させ、順守させる必要があるため、一般素人の作業には向かない難しさをも備えていると言わざるを得ない。
本発明は、上記事情に鑑みてなされたものであって、ラッチ錠などのドア器具をドアに取り付ける際に好適に使用可能なドア器具取付装置において、取付ネジの締め過ぎ防止作用を確実に得られるものとしたうえで、構造の簡潔化や低コスト化等を図り、またいちいち取付ネジの長さ選択を行わずともドア厚の変更に柔軟に対応できるものとし、更には増し締め作業の省略化が可能であってドア器具のガタツキを原因とした騒音や破損等の問題解消もできるようにして、一般素人にも簡単に扱えるようにしたドア器具取付装置を提供することを目的とする。
【課題を解決するための手段】
【００１１】
前記目的を達成するために、本発明は次の手段を講じた。
即ち、本発明に係るドア器具取付装置は、ネジ通孔が設けられドアの一方面に配置される当て台座と、この当て台座の前記ネジ通孔に合致させる雌ネジ孔が設けられドアの他方面に配置される受け台座と、前記当て台座の前記ネジ通孔からドアを貫通して前記受け台座の前記雌ネジ孔に螺合される取付ネジと、を有し、前記受け台座は前記雌ネジ孔を貫通状態で備えたナット部と、前記ナット部を前記雌ネジ孔の孔軸が当該受け台座の肉厚方向に倣う配置とし且つ前記雌ネジ孔の外周部を非拘束としつつ支持する盤本体と、を有しており、前記ナット部には前記雌ネジ孔内の少なくとも周方向一箇所から径方向に延びて且つ孔軸方向に通り抜ける拡縮溝が形成され、前記盤本体にはドアとは逆向きとされる面で
前記ナット部から突き抜けたネジ先端部を超えて隆起するネジ端収容体が形成されていることを特徴とする。
【００１２】
前記盤本体には、ドアとは逆向きとされる面で前記ナット部の雌ネジ孔及び拡縮溝と合致する開口部が形成されており、前記開口部としての深さを形づくることになる盤本体の肉厚により前記ネジ端収容体が形成されたものとすることができる。
この場合、前記ナット部において、前記拡縮溝は前記雌ネジ孔の径方向両側に対を成す配置で設けられており、これら対を成す前記拡縮溝の相反する溝端に対応したナット両側部が前記盤本体の前記開口部内周面と連結されたものとするのが好適である。
【００１３】
但し、このような開口部内周面との連結構造に限らず、前記盤本体と前記ナット部とが別体形成されたものとしてもよい。
このような別体構造を採用する場合であって、且つ前記盤本体に前記開口部が形成されている場合は、前記盤本体には、前記開口部の奥底に前記ナット部を前記雌ネジ孔まわりで不回転にして収容するナット収容部が設けられたものとするのが好適である。
【００１４】
更に、前記当て台座又は前記受け台座の少なくとも一方に、ドアへ向けられる面から突出してドアへの押圧力に抗して弾発力を発現する弾発片が一体形成されたものとしてもよい。
【発明の効果】
【００１５】
本発明に係るドア器具取付装置では、取付ネジの締め過ぎ防止作用を確実に得られるものとしたうえで、構造の簡潔化や低コスト化等を図り、またいちいち取付ネジの長さ選択を行わずともドア厚の変更に柔軟に対応できるものとし、更には増し締め作業の省略化が可能であってドア器具のガタツキを原因とした騒音や破損等の問題解消もできる。従って、一般素人にも簡単に扱えるようになっている。
【図面の簡単な説明】
【００１６】
【図１】本発明に係るドア器具取付装置の第１実施形態を分解して示した斜視図である。
【図２】本発明に係るドア器具取付装置の第１実施形態においてドアへの取付状態を示した側断面図である。
【図３】本発明に係るドア器具取付装置の第１実施形態によりラッチ錠をドアへ取り付ける状況を示した分解斜視図である。
【図４】本発明に係るドア器具取付装置の第１実施形態で採用した受け台座を示したものであって（ａ）は背面図（ドアへ向けられる面に正対した図）であり（ｂ）は（ａ）のＡ−Ａ線矢視図であり（ｃ）は（ａ）のＢ−Ｂ線断面図である。
【図５】本発明に係るドア器具取付装置の第１実施形態で採用した受け台座を示した正面図(ドアと逆向きの面に正対した図)である。
【図６】本発明に係るドア器具取付装置の第１実施形態で採用した受け台座を正面側(ドアと逆向きの面)から示した斜視図である。
【図７】ナット部を示したものであって（ａ）は図４（ａ）のＣ部拡大図であり（ｂ）は（ａ）のＤ−Ｄ線断面図であり（ｃ）は（ａ）のＥ−Ｅ線断面図である。
【図８】本発明に係るドア器具取付装置において受け台座のナット部として採用可能な変形例のうち代表的な３パターンの要部を示した正面図(ドアと逆向きの面に正対した図)である。
【図９】本発明に係るドア器具取付装置の第２実施形態（取付ネジは省略）を分解して示した斜視図である。
【図１０】図９のＦ−Ｆ線に対応させてドアへの取付状態を示した断面図である。
【図１１】第２実施形態で採用したナット部を示したものであって（ａ）は正面図であり（ｂ）は（ａ）のＧ−Ｇ線断面図である。
【図１２】本発明に係るドア器具取付装置において受け台座（特にネジ端収容体及びナット部）としての更なる変形例を示したもので（ａ）は正面図(ドアと逆向きの面に正対した図)であり（ｂ）は（ａ）のＨ−Ｈ線断面図である。
【図１３】本発明に係るドア器具取付装置において受け台座の弾発片として採用可能な第１変形例を示したものであって（ａ）は背面図（ドアへ向けられる面に正対した図）であり（ｂ）は（ａ）のＪ−Ｊ線矢視図であり（ｃ）は（ａ）のＫ−Ｋ線断面図である。
【図１４】本発明に係るドア器具取付装置において受け台座の弾発片として採用可能な第２変形例を示したものであって（ａ）は背面図（ドアへ向けられる面に正対した図）であり（ｂ）は（ａ）のＬ−Ｌ線矢視図であり（ｃ）は（ａ）のＭ−Ｍ線断面図である。
【図１５】本発明に係るドア器具取付装置において受け台座の弾発片として採用可能な第３変形例を示したものであって（ａ）は背面図（ドアへ向けられる面に正対した図）であり（ｂ）は（ａ）のＮ−Ｎ線矢視図である。
【発明を実施するための形態】
【００１７】
以下、本発明の実施の形態を、図面に基づき説明する。
図１は本発明に係るドア器具取付装置１の第１実施形態を示しており、図２及び図３はこのドア器具取付装置１を用いてドア２にラッチ錠６及びドアハンドル７，８を取り付ける様子を示している。
これら図２及び図３から明らかなように、このドア器具取付装置１は、ドア２の一方面に配置される当て台座３と、ドア２の他方面に配置される受け台座４と、ドア２の両側に配置したこれら両台座３，４を連結するための取付ネジ５とを有している。本第１実施形態において、これら当て台座３及び受け台座４はいずれも「ハンドル取付台座」として適用した場合としてある。
【００１８】
当て台座３にはネジ通孔１０が設けられ、受け台座４には当て台座３のネジ通孔１０に合致させる雌ネジ孔１１が設けられている。取付ネジ５は、当て台座３のネジ通孔１０からドア２を貫通して受け台座４の雌ネジ孔１１に螺合させるようにする。
なお、これら当て台座３及び受け台座４をドア２に取り付けた後は、各台座３，４に対して金属、樹脂、木材などにより形成された装飾用の台座カバー１２（図３参照）を被覆嵌着させる等したうえで、両台座３，４及びドア２に埋め込んだラッチ錠６へハンドル軸１３付きドアハンドル７のハンドル軸１３を串刺し状に貫通させ、ドア２の他方側へ突き出たハンドル軸１３に、軸受けボス１４付きドアハンドル８を連結させるものとする。
【００１９】
図４乃至図６は、本第１実施形態において採用した受け台座４を示している。この受け台座４は、樹脂又は金属等により所定の肉厚（取付ネジ５のネジ頭の全部又は一部を吸収可能な寸法）に形成された盤本体２０を主体として成る。
そして、この盤本体２０に対し、本発明の主要部となるナット部２１が設けられており、このナット部２１に雌ネジ孔１１が設けられた構成となっている。すなわち、このナット部２１に対して「締め過ぎ防止機構」が設けられているものである。言うまでもなく、ナット部２１は、雌ネジ孔１１の孔軸が受け台座４の肉厚方向に倣う（同じ方向に沿わせる）配置で盤本体２０に支持されている。
【００２０】
盤本体２０において、ドア２へ取り付ける際にドア２へ向けられる方の面（必ずしも全面的な面接触が限定されるわけではない）を取付面２０ａとし、これとは反対側の面（即ち、ドア２とは逆向きとされる面）を表面２０ｂとする。本第１実施形態において採用した受け台座４では、盤本体２０の取付面２０ａから突出する状態でナット部２１が盤本体２０に一体形成されたものとしてある。
【００２１】
なお、この盤本体２０には、ドアハンドル７のハンドル軸１３など、この種のドア器具に設けられる「ドア貫通軸」を通すための挿通部２２が肉厚方向に貫通形成されているのが標準的構造となる。ただ、この挿通部２２は孔としても又は外方へ開放された溝としてもよい。また、図例において盤本体２０の平面形状を円形に描いてある点については特に限定されるものではなく、例えば楕円形や四角形状等としてもよい。
【００２２】
図７はナット部２１を示している。このナット部２１において雌ネジ孔１１は貫通して設けられている。そして、このナット部２１には、雌ネジ孔１１内の対向する内周面二箇所から径方向に延びる一対の拡縮溝２７，２７が形成されている。これら対を成す拡縮溝２７，２７において、それらの相反する溝端は半円弧状に閉じられている。これら拡縮溝２７，２７についても、雌ネジ孔１１と同様に、ナット部２１を雌ネジ孔１１の孔軸方向に通り抜けている。
【００２３】
このようなナット部２１は、前記したように盤本体２０の取付面２０ａから突出する状態で設けられている。そして盤本体２０には、その表面２０ｂ側で開口して、ナット部２１の雌ネジ孔１１及び拡縮溝２７，２７と合致する開口部２８が形成されている。この開口部２８の内周面（開口縁部）に対し、ナット部２１の両側部（対を成す拡縮溝２７，２７におけるそれぞれ閉じられた溝端の対応部位）が一体的に連結されている。
【００２４】
これらのことから明らかなように、ナット部２１は、雌ネジ孔１１及び拡縮溝２７，２７の外周部が盤本体２０によって拘束されることなく、開放された状態にある。そのため、雌ネジ孔１１の孔内に対して拡径方向の外力が負荷した場合には、両拡縮溝２７，２７が溝幅を広げるように変形することを要因として、雌ネジ孔１１が拡径する現象が生じる。この雌ネジ孔１１が拡径する現象が「締め過ぎ防止機構」としての作用となる。
【００２５】
盤本体２０の表面２０ｂ側で開口している開口部２８は、ナット部２１に螺合された取付ネジ５のネジ先端部がこのナット部２１から突き抜けるようになったときに、この突き抜けたネジ先端部を収容する作用を奏する（盤本体２０の肉厚を超えてネジ先端部が突出しないようにしている）。言い換えれば、開口部２８としての深さを形づくることになる盤本体２０の肉厚は、ナット部２１から見れば、このナット部２１から突き抜ける取付ネジ５のネジ先端部を超えて隆起したものと言うことができる。以下ではこの隆起構造を「ネジ端収容体３０」と呼ぶ（図７（ｂ）に示した寸法ｔの部分）。
【００２６】
すなわち、このネジ端収容体３０が設けられていることにより、盤本体２０の表面２０ｂ側で取付ネジ５が突出することがないので、受け台座４に対して台座カバー１２（図３参照）を嵌め付ける際に取付ネジ５が台座カバー１２と接触干渉することはなく、台座カバー１２の確実な被覆嵌着が可能となっている。そのため、取付ネジ５として、ネジ端収容体３０の隆起量（開口部２８の深さであり盤本体２０の肉厚に略同じ）が許す範囲で可及的に長尺のものを使用することができる。
【００２７】
これに伴い、ドア２の厚さとして最も分厚いタイプにも対応できることを基準に取付ネジ５の長さを設定することが可能となり、結果として、どのような厚さのドア２に対しても、ナット部２１を取付ネジ５が突き抜ける状態（雌ネジ孔１１を取付ネジ５が貫通する状態）を得ることができ、確実な「締め過ぎ防止機構」の作用を得ることができるものである。
【００２８】
逆の言い方をすれば、選定した取付ネジ５を最も薄いタイプのドア２に使用したときに、盤本体２０の表面２０ｂ側で取付ネジ５が突出することがないように、ネジ端収容体３０の隆起量（開口部２８の深さ、及び盤本体２０の肉厚）を設定すればよいものである。
ところで、盤本体２０には、外周面の一部を肉厚全部にわたって通り抜けた状態で弾発片収容部３３が設けられており、この弾発片収容部３３内の径方向内壁に根付き部３５を接続させた状態で、この根付き部３５から盤本体２０の径方向外方へ延び出すようにして弾発片３４が一体形成されている。この弾発片３４は、常態において盤本体２０の取付面２０ａから先端部を突出させている。
【００２９】
図例では、外周上の３等配位置（１２０°間隔）に弾発片収容部３３及び弾発片３４が設けられたものとしてある。なお、根付き部３５は、盤本体２０と弾発片３４とを一体的に連結する部分を言うものとするが、特定の形状を有したものではなく、盤本体２０や弾発片３４に対して物理的、視覚的に明確な境界はない。
そのため、盤本体２０をドア２に取り付ける際には取付面２０ａよりも先に弾発片３４の先端部がドア２に当接することになるが、この当接後、弾発片３４はその先端部をドア２に当接させた状態を維持したままドア２に向けた押圧力に抗するように弾発力を発現して、弾発片収容部３３内に収められるようになる。すなわち、弾発片３４の弾発力は、ドア２に対して盤本体２０を押し返す方向で作用する。
【００３０】
以上詳説したところから明らかなように、本発明に係るドア器具取付装置１では、雌ネジ孔１１が形成された受け台座４に対し、「締め過ぎ防止機構」を備えるナット部２１が設けられている。そのため、ドア２に対してラッチ錠６及びドアハンドル７，８を取り付けるに際し、当て台座３と受け台座４とを取り付ける段階で取付ネジ５を乱暴に締め込むようにしたとしても、雌ネジ孔１１のネジ山と取付ネジ５のネジ山との噛み合い部でカム
作用が生じるとき（互いのネジ山が軸方向に乗り越えようとするとき）に、雌ネジ孔１１に対して拡径方向の外力が負荷し、これにより拡縮溝２７が溝幅を広げるようにして雌ネジ孔１１が実質的に拡径し、取付ネジ５にネジ山飛びが起こる（ネジ山同士の噛み合いが１ピッチ戻る）。
【００３１】
従って取付ネジ５の締め過ぎには至らず、その結果、ドア２の両側で当て台座３と受け台座４との間が非平行になってハンドル操作が重くなる問題は起こらず、また受け台座４の雌ネジ孔１１が破損したり、各台座３，４によってドア２に凹み傷が付いたりする問題も未然に防止される。
ナット部２１にあっては、拡縮溝２７が雌ネジ孔１１と同じ深さになっており、またこの拡縮溝２７はナット部２１を貫通したものであるので、従来とは異なって長さ（軸方向深さ）の長いスリットをスリ割り加工する必要がない。それ故、構造の簡潔化が図られ低コスト化等も図られる利点がある。また、開口部２８によるネジ端収容部３０が設けられているため、いちいち取付ネジ５の長さ選択を行わずともドア２の厚さ変更に柔軟に対応できる利点もある。
【００３２】
一方で、受け台座４には弾発片３４が設けられているので、取付ネジ５の締め込みに伴い、当て台座３と受け台座４とがドア２へ押圧される際には弾発片３４が弾発力を発現するようになる。この弾発力は取付ネジ５の締め込みに応じて次第に強くなるので、取付ネジ５を締め付ける作業者の感覚として、取付ネジ５の締め込み量が増すほど、締め付けトルクが増加する（締め難くなる）ことになり、締め付けトルクが充分量に達した手応えを的確に感じ取ることができる。また同時に、当て台座３や受け台座４がドア２に対して不動になる手応えによっても、締め付けトルクの充分量を感じ取ることができる。これらによっても、取付ネジ５の締め過ぎを防止することができる。
【００３３】
のみならず、取付ネジ５の締結完了後、各弾発片３４による弾発力は、取付ネジ５が雌ネジ孔１１に螺合した状況下での螺合強度を高める（ネジ山同士の噛み合い間に生じる遊びを解消する）ように作用する。そのために、経年後における取付ネジ５の緩み（ドア器具取付装置１のガタツキ）を防止できることになる。
このような作用が得られることから鑑みれば、取付ネジ５の締め込み時においては、「締め過ぎ防止機構」によるネジ山飛び作用が生じた後に、わざわざ取付ネジ５を増し締めしなくても、弾発片３４の弾発力で取付ネジ５の緩み止め効果が生じることになる。その結果として、取付ネジ５の増し締め作業を省略できることになる。故に、ドア２に対するドア器具取付装置１の取り付け、ひいてはラッチ錠６を含めた全体としての取付作業が簡素化され、且つ確実化されるものとなる。従って、一般素人にも簡単に扱えるようになっている。
【００３４】
図８（ａ）〜（ｃ）は、本発明に係るドア器具取付装置１において、受け台座４のナット部２１として採用可能な変形例のうち代表的な３パターンを示している。
図８（ａ）に示す変形例は、図５や図６との比較によって明らかなように、各拡縮溝２７における雌ネジ孔１１とは反対側の溝端２７ａが盤本体２０に設けた開口部２８の内周面に一致する（拡縮溝２７が完全に開口部２８内に収まる）ようにしたものである。図５、図６の例では、開口部２８の内周面に対してその深さ方向に筋状の凹み２７ｂが形成されている。
【００３５】
なお、図示は省略するが、拡縮溝２７を更に短くして、その溝端が開口部２８の内側に入り込むようにしてもよい。このように、雌ネジ孔１１の径方向において拡縮溝２７を延ばす長さは特に限定されるものではない。
図８（ｂ）に示す変形例は、拡縮溝２７の本数を増やして２対（合計４本）設け、これら拡縮溝２７を雌ネジ孔１１のまわりに十文字状に配置したものである。また図８（ｃ）に示す変形例は、雌ネジ孔１１を中心として、その径方向片側へ配置する拡縮溝２７を長く、反対側へ配置する拡縮溝２７を短くしたものである。短い方の拡縮溝２７は、場合によっては省略することもできる。このように拡縮溝２７の形成数や雌ネジ孔１１まわりの配置等は、特に限定されるものではない。
【００３６】
図９は、本発明に係るドア器具取付装置１の第２実施形態を示しており（取付ネジ５の
図示は省略した）、図１０はこのドア器具取付装置１の受け台座４を取付ネジ５によってドア２に取り付けた様子を示している。また図１１は、本第２実施形態において採用した受け台座４のナット部２１を示している。なお、図９及び図１０において、ドアハンドル７のハンドル軸１３等の「ドア貫通軸」を通すための挿通部２２については図示を省略してある。
【００３７】
本第２実施形態が第１実施形態（図１等参照）と最も異なるところは、受け台座４において盤本体２０とナット部２１とが別体で形成されている点にある。このように盤本体２０とナット部２１とを別体にするために、盤本体２０には、開口部２８の奥底にナット部２１をも収容できるようにしたナット収容部４０が形成されている。
また、このナット収容部４０は、収容したナット部２１が雌ネジ孔１１まわりで不回転となるように（取付ネジ５の螺合時にナット部２１が取付ネジ５と供回りしないように）、ナット部２１の外周面に小さな隙間しか生じない開口形状（ナット部２１の端面形状に対して相似的に大きくした開口）を有するものとしてある。
【００３８】
なお、開口部２８とナット収容部４０とは開口形状を異ならせてもよいが、本第２実施形態では同じ開口形状としてある。そのため、開口部２８とナット収容部４０との間に物理的且つ見掛け上の区画部分はない。しかし、ナット部２１を収容させたときに、ナット部２１の占める領域がナット収容部４０に相当し、ナット部２１より手前側（図１０の上方）に生じる凹部スペースが開口部２８に相当するものである。
【００３９】
開口部２８としての深さを形づくることになる盤本体２０の肉厚（図１０に示した寸法ｔの部分）が、ナット部２１から突き抜ける取付ネジ５のネジ先端部を超えて隆起した「ネジ端収容体３０」であることは、第１実施形態の場合と同じである。
なお、この説明から明らかなように、「開口部２８としての深さを形づくることになる盤本体２０の肉厚」は、必ずしも、盤本体２０の肉厚全体を指すものではなく、その一部だけのある場合もある。要は、ネジ端収容体３０は、開口部２８内でナット部２１から突き抜ける取付ネジ５のネジ先端部を収納する深さであると言うことができる。
【００４０】
本第２実施形態において、当て台座３や受け台座４の平面形状を正方形状としている等の細部構造を除けば、その他の構成及び作用効果については第１実施形態と略同じであり、同じ作用を奏する部分に同じ符号を付することで、ここでの詳説は省略する。
図１２は、本発明に係るドア器具取付装置１において、受け台座４（特に、ネジ端収容体３０）として採用可能な変形例を示している。この図１２でも「ドア貫通軸」を通すための挿通部２２については図示を省略してある。
【００４１】
図１２に示した受け台座４では、ナット部２１に対応させる開口部２８は有しておらず、代わりに盤本体２０における表面２０ｂ上の各所（ナット部２１とは重ならない位置）で突出する複数の突起４１を設けることにより、その突出高さとしてネジ端収容体３０が形成されたものとしてある（図１２（ｂ）に示した寸法ｔの部分）。この場合、突起４１の形状や形成数、配置などが限定されないことは言うまでもない。
【００４２】
また、このようなネジ端収容体３０を採用するにあたり、ナット部２１は、盤本体２０に対してその肉厚中に埋没する状態で形成してある。すなわち、ナット部２１の丈は、盤本体２０の肉厚と同じである。とは言え、ナット部２１における雌ネジ孔１１や拡縮溝２７の外周部を開放状態に保持させる必要があるため、盤本体２０には、ナット部２１のまわりを取り囲むようにして、当該盤本体２０の肉厚を貫通する開放孔４３が形成されたものとしてある。
【００４３】
図１３〜図１５は、本発明に係るドア器具取付装置１において受け台座４の弾発片３４として採用可能な変形例のうち代表的な３パターンを示している。
図１３に示す第１変形例は、一つの弾発片収容部３３に対して複数（図例では３つ）の弾発片３４が設けられたものである。このように、弾発片収容部３３内に設ける弾発片３４の形成数や形状などは特に限定されるものではない。
【００４４】
図１４に示す第２変形例は、弾発片収容部３３内の片方の径方向内壁に根付き部３５を接続させた状態で、この根付き部３５から盤本体２０の周方向に沿って延び出すように弾発片３４が片持ち支持されたものとしてある。言うまでもなく、この弾発片３４は、常態
において盤本体２０の取付面２０ａから先端部を突出させてある。
図１５に示す第３変形例は、盤本体２０の外周面に臨ませる配置で取付面２０ａを凹ませることによって弾発片収容部３３を形成し、この弾発片収容部３３内に形成された底部３３ａに根付き部３５を接続させるようにして弾発片３４が設けられたものとしてある。図例では、根付き部３５を中心において相対逆方向へ斜めに突出する２個一組の弾発片３４（側面視すると両弾発片３４がＶ字状配置となっている）が設けられたものを示している。
【００４５】
ところで、本発明は、前記実施形態に限定されるものではなく、実施の形態に応じて適宜変更可能である。
例えば、弾発片収容部３３や弾発片３４は、当て台座３又は受け台座４のいずれか一方のみに設けるようにしたり、双方の台座３，４に対して設けるようにしたりすることが可能である。場合によっては、いずれの台座３，４にも設けないようにしてもよい。
【００４６】
本発明に係るドア器具取付装置１は、ドアハンドル７，８をドア２へ取り付ける際に適用することが限定されるものではない。例えば、ドアハンドル７，８の操作部とは乖離した近接位置に、ドア２に対してサムターンや鍵差し部などを単独の器具として取り付ける場合があるが、この場合の器具取り付けに用いることも可能である。
【符号の説明】
【００４７】
１  ドア器具取付装置
２  ドア
３  当て台座
４  受け台座
５  取付ネジ
６  ラッチ錠
７  ドアハンドル
８  ドアハンドル
１０  ネジ通孔
１１  雌ネジ孔
１２  台座カバー
１３  ハンドル軸
１４  ボス
２０  盤本体
２０ａ  取付面
２０ｂ  表面
２１  ナット部
２２  挿通部
２７  拡縮溝
２７ａ  溝端
２７ｂ  筋状の凹み
２８  開口部
３０  ネジ端収容体
３３  弾発片収容部
３３ａ  底部
３４  弾発片
３５  根付き部
４０  ナット収容部
４１  突起
４３  開放孔
【要約】
【課題】ドア器具取付装置において、取付ネジの締め過ぎ防止作用が確実に得られ、構造の簡潔化や低コスト化等を図り、取付ネジの長さ選択を行わずともドア厚の変化に柔軟に対応でき、増し締め作業の省略化が可能であってドア器具のガタツキを原因とした騒音や破損等の問題解消もできるようにし、一般素人にも簡単に扱えるようにする。
【解決手段】当て台座３と受け台座４と取付ネジ５とを有し、受け台座４は雌ネジ孔１１を貫通状態で備えたナット部２１と、ナット部２１を雌ネジ孔１１の外周部が非拘束となるようにしつつ支持する盤本体２０とを有しており、ナット部２１には雌ネジ孔１１内の少なくとも周方向一箇所から径方向に延びて且つ孔軸方向に通り抜ける拡縮溝２７が形成され、盤本体２０にはドア２とは逆向きとされる面でナット部２１から突き抜けたネジ先端部を超えて隆起するネジ端収容体３０が形成されている。
【選択図】図１【図１】
0005763855.tif 000002
【図２】
0005763855.tif 000003
【図３】
0005763855.tif 000004
【図４】
0005763855.tif 000005
【図５】
0005763855.tif 000006
【図６】
0005763855.tif 000007
【図７】
0005763855.tif 000008
【図８】
0005763855.tif 000009
【図９】
0005763855.tif 000010
【図１０】
0005763855.tif 000011
【図１１】
0005763855.tif 000012
【図１２】
0005763855.tif 000013
【図１３】
0005763855.tif 000014
【図１４】
0005763855.tif 000015
【図１５】
0005763855.tif 000016